(57)【要約】【課題】光信号を光の状態で中継伝送する光伝送ネットワークシステムにおいて，光信号のルートの変更や，新規ルートの設定を行う場合に，その変更・設定前に行うルートの伝送可否の検証を高速に行う。【解決手段】ＬＴＥ１の試験信号送信部１２から光による試験信号が送信され，送信された試験信号は新規ルートに沿って光伝送ネットワークシステムのノードＮ１等により中継伝送され，ＬＴＥ２の試験信号受信部２２に受信される。ＬＴＥ２のパラメータ抽出部２３は，受信された試験信号に基づいて，ＬＴＥ１から２までの経路の伝送特性を表す伝送パラメータを求め，求めた伝送パラメータをＮＭＳ１００の伝送可否検証部１０２に与える。伝送可否検証部１０２は，伝送パラメータに基づいて，ＬＴＥ１から２までの経路の伝送可否を検証する。試験信号の送受信により伝送可否が検証されるので，検証が高速化される。【選択図】        図３
2004172783.tif 000002
【特許請求の範囲】
【請求項１】
波長分割多重された光信号を中継伝送する複数のノードを有する光伝送ネットワークシステムにおいて，前記複数のノードの１または２以上のノードを経由して設定される経路の伝送可否を検証する伝送可否検証システムであって，
光による試験信号を前記経路の一方の端部から前記経路に沿って送信する試験信号送信部と，
前記経路に沿って伝送されて来た前記試験信号を前記経路の他方の端部で受信する試験信号受信部と，
前記試験信号受信部により受信された前記試験信号の伝送特性を表す伝送パラメータを求めるパラメータ抽出部と，
前記パラメータ抽出部により抽出された前記伝送パラメータに基づいて前記経路の伝送可否を検証する伝送可否検証部と，
を備えている伝送可否検証システム。
【請求項２】
請求項１において，
前記経路の一方の端部から，前記経路を探索するための経路探索フレームを該経路の他方の端部に向けて光信号により送信するフレーム送信部と，
前記複数のノードのそれぞれが有するルーティングテーブルに基づいて，該複数のノードの１または２以上のものによってルーティングされてきた前記経路探索フレームを前記経路の他方の端部で受信するフレーム受信部と，
前記フレーム受信部により受信された前記経路探索フレームが経由したノードに基づいて前記経路を設定する経路設定部と，
をさらに備えている伝送可否検証システム。
【請求項３】
請求項１において，
前記複数のノードのそれぞれにより受信された信号の転送先を決定するためのルーティングテーブルを記憶するルーティングテーブル記憶部と，
前記経路の一方の端部から他方の端部への経路を前記ルーティングテーブル記憶部に記憶された前記ルーティングテーブルに基づいて探索し，該探索した経路を伝送可否の検証対象となる経路として設定する経路設定部と，
を有する伝送可否検証システム。
【請求項４】
波長分割多重された光信号を送受信する第１および第２の端局装置ならびに該光信号を中継伝送する複数のノードを有する光伝送ネットワークシステムにおいて，前記第１の端局装置から前記複数のノードの１または２以上のノードを経由して前記第２の端局装置に設定される経路の伝送可否を検証する伝送可否検証システムであって，
前記第１および第２の端局装置ならびに前記複数のノードの隣接するものの間の区間の伝送特性を表す伝送パラメータを記憶する記憶部と，
前記経路を構成する区間の伝送パラメータを前記記憶部から読み出し，読み出した伝送パラメータに基づいて伝送可否を検証する伝送可否検証部と，
を備えている伝送可否検証システム。
【請求項５】
請求項４において，
前記経路の一方の端部から，前記経路を探索するための経路探索フレームを該経路の他方の端部に向けて光信号により送信するフレーム送信部と，
前記複数のノードのそれぞれが有するルーティングテーブルに基づいて，該複数のノードの１または２以上のものによってルーティングされてきた前記経路探索フレームを前記経路の他方の端部で受信するフレーム受信部と，
前記フレーム受信部により受信された前記経路探索フレームが経由したノードに基づいて前記経路を設定する経路設定部と，
をさらに備えている伝送可否検証システム。
【発明の詳細な説明】
【０００１】
【発明の属する技術分野】
本発明は，波長分割多重された光信号を中継伝送する複数のノードを有する光伝送ネットワークシステムにおいて，１または２以上のノードを経由して設定される経路の伝送可否を検証する伝送可否検証システムに関する。
【０００２】
【従来の技術】
高速大容量のデータ伝送を可能とする技術として，複数の波長の光信号を多重化して伝送する波長分割多重（ＷＤＭ：Ｗａｖｅｌｅｎｇｔｈ  Ｄｉｖｉｓｉｏｎ  Ｍｕｌｔｉｐｌｅｘ）方式が注目されている。
【０００３】
このＷＤＭ方式により光信号を伝送する光伝送ネットワークシステムでは，中継装置の処理遅延等を防止するために，光信号を光の状態のままスイッチング（クロスコネクト）する光クロスコネクト方式が検討されている。
【０００４】
一方，光クロスコネクトによりＷＤＭ信号を伝送する場合に，伝送経路による伝送ロス，雑音等により，受信側端局装置において十分な品質のＷＤＭ信号が受信できないおそれがある。このため，光伝送ネットワークに経路を設定する前に，その経路の伝送品質を検証する必要がある。
【０００５】
図１は，ＷＤＭ信号を光の状態ままクロスコネクトして伝送する光伝送ネットワークシステムの一例を示している。この光伝送ネットワークシステムにおいて，たとえば端局装置（ＬＴＥ：Ｌｉｎｅ  Ｔｅｒｍｉｎａｌ  Ｅｑｕｉｐｍｅｎｔ）１からＬＴＥ２へ，ＷＤＭ信号を，電気に変換した後３Ｒ再生（Ｒｅｇｅｎｅｒａｔｉｎｇ，  Ｒｅｔｉｍｉｎｇ，  ａｎｄ  Ｒｅｓｈａｐｉｎｇ）することなく伝送できるかどうかは，経路の伝送ロス，光ＳＮＲ，分散等の伝送特性を表す伝送パラメータにより検証される。
【０００６】
この検証は，ＬＴＥ１と経路上に配置された光増幅装置との間といったスパン単位ではなくＬＴＥ１とＬＴＥ２とのエンド・ツー・エンド（ｅｎｄ−ｔｏ−ｅｎｄ）でなされる。このように光信号の伝送では，ルート個別に実測した伝送パラメータに基づいて，時にはコンピュータ上でのシミュレーションを行うといった検証が行われている。
【０００７】
ＷＤＭ方式における伝送経路の検証に関連する従来技術として以下のものがある。すなわち，中継数あるいはビットレートに関係なくすべての波長多重成分の中継伝送を可能とするための従来技術として，各ノードに入力された波長多重信号をモニタして各波長成分のＳ／Ｎ比を測定し，Ｓ／Ｎ比が所定の閾値以下となった波長成分の識別を行い，再生中継が必要な波長成分を特定するものがある（たとえば特許文献１参照）。
【０００８】
また，光レイヤにおいて，光信号の雑音劣化および波形歪みをアナログ監視することにより，障害・品質監視を行い，障害区間の同定，経路切替を行うもの（たとえば特許文献２参照），波長成分毎にＷＤＭ伝送網を伝送するルートを設定する波長成分別ルート設定装置に関するものがある（たとえば特許文献３参照）。
【０００９】
さらに，通信要求が発生してから通信開始までの時間の短縮を目的とするもの（たとえば特許文献４参照），各光波長のルーティングの正常性試験をユーザ信号の途絶なしに行う光波長多重伝送装置（たとえば特許文献５，特許文献６参照）がある。
【００１０】
また，背景となる技術としては，センターノードが，ノード間の光ファイバの状態を知るために光ファイバに試験光を送信および受信する光伝送線路試験装置および試験方法（たとえば特許文献７参照），ネットワークの各種の通信品質やコストの総合的な評価に基づいてネットワークを設計する方法（たとえば特許文献８参照），ネットワーク間で授受される信号を運ぶ光信号に識別子を付与し，識別子に基づき，ネットワーク障害時に，障害を受けたパスを特定する光パス経路管理装置及び方法（たとえば特許文献９参照），複数のＩＳＰ網に跨る通信経路を設定する場合，公開情報を基にユーザから要求されるＱｏＳ保証および課金額を満足させる通信経路を検出し，その通信経路を設定するため，各網管理装置に対しＱｏＳを保証する資源の設定を要求する通信品質保証方法（たとえば特許文献１０参照）がある。
【００１１】
【特許文献１】
特許第３１０２３７９号公報（第３−５頁，図１，図２）
【００１２】
【特許文献２】
特開２００１−２１７７７５号公報（第１頁，図２等）
【００１３】
【特許文献３】
特開２００２−２６８２２号公報（図５等）
【００１４】
【特許文献４】
特開２００１−５３７９５号公報（第１頁，第５頁）
【００１５】
【特許文献５】
特開平７−３１２７６５号公報（第１頁−３頁，図１）
【００１６】
【特許文献６】
特開平８−２５６１１０号公報（第１頁−４頁，図１）
【００１７】
【特許文献７】
特開２００１−２３７７７４号公報（第１頁−３頁，図１）
【００１８】
【特許文献８】
特開平８−３３９３９４号公報（第１頁−２頁，図１）
【００１９】
【特許文献９】
特開２００１−２１７９０１号公報（第２頁−第５頁，図１，図２）
【００２０】
【特許文献８】
特開２０００−３１２２２６号公報（第１頁−５頁，図１−３）
【００２１】
【発明が解決しようとする課題】
本発明は，光信号を光の状態で中継伝送する光伝送ネットワークシステムにおいて，光信号のルートの変更や，新規ルートの設定を行う場合に，その変更・設定前に行うルートの伝送可否の検証を高速に行うことを目的とする。
【００２２】
【課題を解決するための手段】
前記目的を達成するために，本発明の第１の側面による伝送可否検証システムは，波長分割多重された光信号を中継伝送する複数のノードを有する光伝送ネットワークシステムにおいて，前記複数のノードの１または２以上のノードを経由して設定される経路の伝送可否を検証する伝送可否検証システムであって，光による試験信号を前記経路の一方の端部から前記経路に沿って送信する試験信号送信部と，前記経路に沿って伝送されて来た前記試験信号を前記経路の他方の端部で受信する試験信号受信部と，前記試験信号受信部により受信された前記試験信号の伝送特性を表す伝送パラメータを求めるパラメータ抽出部と，前記パラメータ抽出部により抽出された前記伝送パラメータに基づいて前記経路の伝送可否を検証する伝送可否検証部と，を備えている。
【００２３】
本発明の第１の側面によると，試験信号が，試験信号送信部により，伝送可否の検証対象となる経路の一方の端部から該経路に沿って伝送され，該経路の他方の端部の試験信号受信部により受信される。そして，受信された試験信号に基づいて，伝送特性を表す伝送パラメータが求められ，この伝送パラメータに基づいて伝送可否が判断される。したがって，光伝送ネットワークを構築した装置ベンダ等に問い合わせることなく，試験信号の送受信によって伝送可否が判断でき，迅速な判断が可能となる。
【００２４】
本発明の第２の側面による伝送可否検証システムは，波長分割多重された光信号を送受信する第１および第２の端局装置ならびに該光信号を中継伝送する複数のノードを有する光伝送ネットワークシステムにおいて，前記第１の端局装置から前記複数のノードの１または２以上のノードを経由して前記第２の端局装置に設定される経路の伝送可否を検証する伝送可否検証システムであって，前記第１および第２の端局装置ならびに前記複数のノードの隣接するものの間の区間の伝送特性を表す伝送パラメータを記憶する記憶部と，前記伝送可否の検証対象となる経路を構成する区間の伝送パラメータを前記記憶部から読み出し，読み出した伝送パラメータに基づいて伝送可否を検証する伝送可否検証部と，を備えている。
【００２５】
本発明の第２の側面によると，光伝送ネットワークの複数のノードの隣接するものの間の区間の伝送パラメータが記憶部に記憶される。そして，伝送可否の検証対象となる経路が設定されると，この経路を構成する区間の伝送パラメータが記憶部から読み出され，読み出された伝送パラメータに基づいて経路全体の伝送可否が検証される。したがって，光伝送ネットワークを構築した装置ベンダ等に問い合わせることなく，試験信号の送受信によって伝送可否が判断でき，迅速な判断が可能となる。
【００２６】
【発明の実施の形態】
＜第１の実施の形態＞
図１は，本発明が適用される光伝送ネットワークシステムの構成例を示している。この光伝送ネットワークシステムは，一例としてノードがメッシュ状に接続されたメッシュ状ネットワークである。
【００２７】
この光伝送ネットワークシステムは，端局装置（ＬＴＥ：Ｌｉｎｅ  Ｔｅｒｍｉｎａｌ  Ｅｑｕｉｐｍｅｎｔ）１および２，ならびにノードＮ１〜Ｎ８を有する。
【００２８】
ＬＴＥ１および２は，光伝送ネットワークシステムの外部から入力された複数の単波長の光信号を波長分割多重（ＷＤＭ：Ｗａｖｅｌｅｎｇｔｈ  Ｄｉｖｉｓｉｏｎ  Ｍｕｌｔｉｐｌｅｘｉｎｇ）して，光伝送ネットワークシステム内に送信するとともに，光伝送ネットワークシステムからの波長分割多重された信号（以下「ＷＤＭ信号」という。）を波長ごとの光信号に分離して，外部に送信する。ＬＴＥ１にはノードＮ１が接続され，ＬＴＥ２にはノードＮ５が接続されている。
【００２９】
ノードＮ１〜Ｎ５は，入力されたＷＤＭ信号を光の状態でクロスコネクト（スイッチング）して出力する光クロスコネクト（ＯＸＣ：Ｏｐｔｉｃａｌ  Ｃｒｏｓｓ  Ｃｏｎｎｅｃｔ）装置である。ノードＮ６〜Ｎ８は，外部のネットワーク等からアッド（ａｄｄ）された光信号をＷＤＭ信号に多重化して出力するとともに，ＷＤＭ信号から所定の波長の光信号を取り出し，外部のネットワーク等へドロップ（ｄｒｏｐ）する光ＡＤＭ（ＯＡＤＭ：Ｏｐｔｉｃａｌ  Ａｄｄ−Ｄｒｏｐ  Ｍｕｌｔｉｐｌｅｘｅｒ）装置である。
【００３０】
各ノード間およびノードとＬＴＥとの間の伝送路は，光ファイバにより構成されている。したがって，この光伝送ネットワークシステムでは，光信号が電気信号に変換されることなく，光の状態でスイッチング（クロスコネクト）されて伝送されることとなる。
【００３１】
光ファイバ上には，１または２以上の光増幅器（ＩＬＡ：Ｉｎ−ｌｉｎｅ  Ａｍｐｌｉｆｉｅｒ）が設けられることがある。また，各ノード内にもＩＬＡが設けられることがある。ＩＬＡは，入力された光信号を光の状態のまま増幅し出力する。光伝送ネットワークシステム上のある１つの経路（たとえば経路Ｒ１）では，図２に示すように，ＬＴＥ１とＬＴＥ２との間には，複数（ｎ個）のＩＬＡ１〜ＩＬＡｎが存在することとなる。
【００３２】
また，図１において図示は省略するが，光伝送ネットワークシステムには，ネットワーク監視システム（ＮＭＳ：Ｎｅｔｗｏｒｋ  Ｍｏｎｉｔｏｒｉｎｇ  Ｓｙｓｔｅｍ）が設けられる。ＮＭＳはＬＴＥ１および２ならびにノードＮ１〜Ｎ８と図示しない信号線（電気信号または光信号を搬送する信号線）等により接続される。そして，ＮＭＳによる各ノードのクロスコネクトの設定，試験信号の送信開始／停止，ＬＴＥからの試験結果（伝送パラメータ）等は，この信号線を介して通信される。なお，このような信号線を設けることなく，ＳＯＮＥＴ／ＳＤＨ信号のオーバヘッド部やＮＭＳ用データを伝送する専用の波長の光信号によって，クロスコネクトの設定，試験信号の送信／停止等が通信されることもある。
【００３３】
このような光伝送ネットワークシステムの経路（ルート）Ｒ１に沿って，ある波長の光信号がＬＴＥ１からＬＴＥ２に伝送されている場合において，このルートＲ１をたとえばルートＲ２のような他のルートに変更するときのルートの検証について，以下に説明する。
【００３４】
図３は，本発明の第１の実施の形態によるＮＭＳ１００，ＬＴＥ１および２，ノードＮ１等の詳細な構成を示すブロック図である。ここでは，ノードＮ１の構成を代表的に示しているが，他のＯＸＣノードも同様の構成を有し，また，ＯＡＤＭノードについては，光信号をアッドおよびドロップするための装置，アッドされた光信号を多重化する装置，ドロップする光信号を分離する装置等が設けられる。
【００３５】
なお，図３は，ＬＴＥ１からＬＴＥ２に向けて試験信号（および主信号）が送信される場合に使用される構成要素を示しているが，ＬＴＥ２からＬＴＥ１に向けても試験信号（および主信号）が送信される（すなわち双方向に信号が送信される）ので，図示は省略するが，ＬＴＥ１にはＬＴＥ２の構成要素が設けられ，ＬＴＥ２にはＬＴＥ１の構成要素が設けられる。また，各ノードには，ＬＴＥ２からＬＴＥ１に向けて伝送されるＷＤＭ信号をクロスコネクトするためのクロスコネクト部も設けられる。
【００３６】
以下では，ＬＴＥ１からＬＴＥ２に試験信号を送信する場合の処理について説明するが，ＬＴＥ２からＬＴＥ１に試験信号を送信する場合も，ＮＭＳ１００，ＬＴＥ１および２，ならびに各ノードは，以下に説明する処理と同様の処理を行う。
【００３７】
ＬＴＥ１は，試験信号制御部１１，試験信号送信部１２，および合波器（ＭＵＸ）１３を有する。ノードＮ１は，クロスコネクト制御部３１およびクロスコネクト部３２を有する。ＬＴＥ２は，試験信号制御部２１，試験信号受信部２２，パラメータ抽出部２３，および分波器（ＤＥＭＵＸ）２４を有する。ＮＭＳ１００は，ネットワーク制御部１０１および伝送可否検証部１０２を有する。
【００３８】
図４は，本発明の第１の実施の形態による伝送パラメータの測定およびルートの検証動作を示すシーケンス図である。以下，図４の説明とともに，図３の各構成要素について説明する。
【００３９】
オペレータが新規ルートをＮＭＳ１００に指定すると，ＮＭＳ１００のネットワーク制御部１０１は，新規ルートに沿って試験信号が伝送されるように，ルート上に配置されている各ノードのクロスコネクト制御部に設定信号を与える。この設定信号に従って，たとえばノードＮ１のクロスコネクト制御部３１は，クロスコネクト部３２のクロスコネクトを設定する。
【００４０】
各ノードのクロスコネクト設定部は，設定が完了すると，クロスコネクト設定完了通知をＮＭＳ１００のネットワーク制御部１０１に返信する。ネットワーク制御部１０１は，クロスコネクト設定完了通知を受信すると，オペレータにルート設定完了を通知する。この通知は，たとえば表示装置（図示略）に表示することにより行われる。
【００４１】
続いて，オペレータが試験信号の送信開始指示をＮＭＳ１００に入力すると，ネットワーク制御部１０１は，ＬＴＥ１の試験信号制御部１１およびＬＴＥ２の試験信号制御部２１に試験信号送信開始指令を与える。この試験信号送信開始指令には，試験信号に使用される光信号の波長の値が含まれる場合がある。試験信号に使用される光信号の波長は，ルート変更後に，変更したルートを伝送される主信号に使用される波長の場合もあるし，試験信号用に特別に設けられた波長の場合もある。
【００４２】
ＬＴＥ１の試験信号制御部１１は，ネットワーク制御部１０１からの試験信号送信開始指令を受信すると，試験信号送信部１２に試験信号の送信波長を設定し，試験信号送信部１２を起動して，試験信号の送信を開始する。ＬＴＥ２の試験信号制御部２１は，ネットワーク制御部１０１からの試験信号送信開始指令を受信すると，試験信号受信部２２に試験信号の受信波長を設定し，試験信号受信部２２を起動して試験信号の受信待ち状態にする。
【００４３】
試験信号送信部１２は，単波長の光信号を生成し出力する半導体レーザを有し，試験信号制御部１１の制御に基づいて試験信号をＭＵＸ１３に出力する。試験信号は，所定のパターンの信号であり，エラーレートを求めるためのパリティビット，ＣＲＣ等を含む。
【００４４】
ＭＵＸ１３には，試験信号送信部１２からの光信号に加えて，ユーザデータを搬送する複数の主信号（各主信号は単波長の信号）が入力される。ＭＵＸ１３は，これらの試験信号および主信号を多重し，ＷＤＭ信号として出力する。出力されたＷＤＭ信号は，隣接するノードＮ１のクロスコネクト部３２に入力される。
【００４５】
クロスコネクト部３２は，前述したクロスコネクト制御部３１のクロスコネクト設定に従って，入力された光信号をクロスコネクト（スイッチング）して出力する。新規ルート上に配置された各ノードにおいてクロスコネクトが行われることにより，試験信号は新規ルートに沿ってＬＴＥ２に伝送され，ＬＴＥ２のＤＥＭＵＸ２４に入力される。
【００４６】
ＤＥＭＵＸ２４は，入力されたＷＤＭ信号を各波長の光信号に分波する。分波された光信号のうち，試験信号は試験信号受信部２２に与えられ，残り主信号はＬＴＥ２から外部に出力される。
【００４７】
受信待ち状態にある試験信号受信部２２は，試験信号を受信すると，受信した試験信号をパラメータ抽出部２３に与える。パラメータ抽出部２３には，出力信号のうち，中心波長（λｃとする。）を有する主信号も入力される。
【００４８】
図５は，パラメータ抽出部２３の詳細な構成を示すブロック図である。パラメータ抽出部２３は，受信された試験信号に基づいて伝送特性を表す伝送パラメータを求めるものであり，図５では，一例として，エラーレート測定部２３ａ，受信パワー測定部２３ｂ，ＯＳＮＲ測定部２３ｃ，および波長分散モニタ部２３ｄを有する。
【００４９】
試験信号受信部２２から与えられた試験信号は，これらエラーレート測定部２３ａ，受信パワー測定部２３ｂ，ＯＳＮＲ測定部２３ｃ，および波長分散モニタ部２３ｄに共通に入力される。また，波長分散モニタ部２３ｄには，中心波長λｃを有する主信号も入力される。
【００５０】
エラーレート測定部２３ａは，試験信号に含まれるパリティビットまたはＣＲＣに基づいて，試験信号のエラーレートを計算し，計算したエラーレートを試験信号制御部２１に与える。受信パワー測定部２３ｂは，試験信号の受信パワー（電力値）を求め，求めた受信パワーを試験信号制御部２１に与える。ＯＳＮＲ測定部２３ｃは，試験信号の光信号対雑音比（ＯＳＮＲ：Ｏｐｔｉｃａｌ  Ｓｉｇｎａｌ−ｔｏ−Ｎｏｉｓｅ  Ｒａｔｉｏ）を求め，求めたＯＳＮＲを試験信号制御部２１に与える。波長分散モニタ部２３ｄは，試験信号の中心波長λｃに対する分散量を求め，求めた分散量を試験信号制御部２１に与える。
【００５１】
たとえば，ＯＳＮＲは，周波数（Ｈｚ）と受信パワー（ｄＢ）との関係を表す図６（Ａ）のグラフに示すように，試験信号の受信パワーＰｓからノイズのパワーＰｎを引いた値（Ｐｓ−Ｐｎ）により求められる。また，分散量は，分散量（ｐｓ（１０−１２秒））と受信パワー（ｄＢ）との関係を表す図６（Ｂ）のグラフに示すように，試験信号の受信時刻ｔ２と中心波長λｃの主信号の受信時刻ｔｃとの差（ｔ２−ｔｃ）により求められる。
【００５２】
なお，受信パワー測定部２３ｂは，受信パワー（電力値）に代えて，伝送ロスまたは送信パワーに対する受信パワーの比を求めてもよい。
【００５３】
試験信号制御部２１は，パラメータ抽出部２３から与えられたこれらの伝送パラメータをＮＭＳ１００の伝送可否検証部１０２に送信（アップロード）する。
【００５４】
ＬＴＥ２からＬＴＥ１に向けて送信された試験信号についても，ＬＴＥ１により求められた伝送パラメータがＬＴＥ１の試験信号制御部１１から伝送可否検証部１０２に送信（アップロード）される。
【００５５】
伝送可否検証部１０２は，ＬＴＥ２（および１）から与えられた伝送パラメータを，たとえば伝送可否を判断するための所定の閾値と比較することにより新規ルートの光信号の伝送可否を判断する。たとえば，エラーレート，受信パワー，ＯＳＮＲ，および分散量のすべてが伝送可能の値を有する場合に，伝送可否検証部１０２は伝送可能と判断する。
【００５６】
ＬＴＥ１からＬＴＥ２への一方向のみの伝送が行われる場合には，ＬＴＥ２の伝送パラメータのみに基づいて伝送可否を判断することができる。同様にして，ＬＴＥ２からＬＴＥ１への一方向のみの伝送が行われる場合には，ＬＴＥ１の伝送パラメータのみに基づいて伝送可否を判断することができる。一方，双方向の伝送が行われる場合には，ＬＴＥ１および２の双方の伝送パラメータに基づいて伝送可否が判断されることとなる。
【００５７】
判断結果は，ＮＭＳ１００の表示装置に表示され，オペレータに通知される。これにより，オペレータは新規ルートの主信号の伝送が可能かどうかを知ることができる。
【００５８】
その後，オペレータが試験信号の送信停止の指示をＮＭＳ１００に入力すると，ＮＭＳ１００のネットワーク制御部１０１は，試験信号送信停止指令をＬＴＥ１（および２）の試験信号制御部１１に与える。これにより，試験信号送信部１２の信号の送信が停止される。
【００５９】
このように，本実施の形態によると，試験信号の送受信により伝送パラメータが求められ，該伝送パラメータに基づいて伝送可否が判断されるので，迅速に伝送可否を判断することができる。
【００６０】
＜第２の実施の形態＞
上記第１の実施の形態では，ＮＭＳが伝送可否を判断していたが，伝送可否の判断をＬＴＥ１および２に持たせることもできる。本発明の第２の実施の形態は，伝送可否の判断機能をＬＴＥ１および２に持たせたものである。
【００６１】
図７は，本発明の第２の実施の形態によるＮＭＳ１００，ＬＴＥ１および２，ならびにノードＮ１等の詳細な構成を示すブロック図である。第１の実施の形態の図３と同じ構成要素には同じ符号を付し，その説明を省略することとする。
【００６２】
なお，図７は，第１の実施の形態と同様に，ＬＴＥ１からＬＴＥ２へ光信号を送信する場合の構成要素を示しているが，ＬＴＥ２からＬＴＥ１へ光信号を送信するための構成要素（図示略）も設けられる。
【００６３】
図３と異なる点は，ＮＭＳ１００に伝送可否検証部１０２が設けられず，ＬＴＥ２（および１）に伝送可否検証部２５が設けられる点である。この伝送可否検証部２５は，伝送可否検証部１０２と同じ機能を有し，パラメータ抽出部２３から与えられた伝送パラメータに基づいて伝送可否を判断する。伝送可否検証部２５により判断された伝送可否の判断結果は，試験信号制御部２１を介してネットワーク制御部１０１に与えられ，オペレータに通知される。
【００６４】
したがって，試験開始から試験終了までの処理シーケンスは，図４に示す第１の実施のものとほぼ同様であり，ネットワークからＮＭＳに通知される「試験結果の伝送パラメータ」が判断結果である「伝送可否」になる点のみが異なる。
【００６５】
この第２の実施の形態によっても，伝送可否を迅速に判断することができ，オペレータは伝送可能かどうか短時間で知ることができる。
【００６６】
＜第３の実施の形態＞
本発明の第３の実施の形態は，各ノードおよび各ＬＴＥが，隣接するノードまたはＬＴＥとの間の区間の伝送パラメータを測定してＮＭＳに与え，ＮＭＳは各区間の伝送パラメータをデータベースとして保持し，新規ルートが設定された場合に，そのルートを構成する区間の伝送パラメータに基づいて伝送可否を判断するものである。
【００６７】
図８は，本発明の第３の実施の形態によるＮＭＳ１００およびノードＮ１およびＮ２の詳細な構成を示すブロック図である。
【００６８】
ノードＮ１は，クロスコネクト部３２，合波器（ＭＵＸ）３３ａ〜３３ｄ，試験信号制御部３４，試験信号送信部３５，およびセレクタ３６を有する。ノードＮ２は，クロスコネクト部４２，分波器（ＤＥＭＵＸ）４３ａ〜４３ｃ，試験信号制御部４４，試験信号受信部４５，セレクタ４６，およびパラメータ抽出部４７を有する。ＮＭＳ１００は，ネットワーク制御部１０１，伝送可否検証部１０２，およびデータベース（ＤＢ）１０３を有する。
【００６９】
図８では，ノードＮ１およびＮ２の構成を代表的に示しているが，他のノードも同様の構成を有する。また，図３に示す第１の実施の形態と同じ構成要素には同じ符号を付し，その詳細な説明を省略することとする。さらに，図８は，ノードＮ１からノードＮ２に試験信号を送信する場合に使用される構成要素を示しているが，これとは逆方向のノードＮ２からノードＮ１へ試験信号を送信した場合の伝送パラメータも測定されるので，図示は省略するが，ノードＮ２にはノードＮ１の構成要素が設けられ，また，ノードＮ１にはノードＮ２の構成要素が設けられる。ＬＴＥ１および２は，図示は省略するが，図３に示す構成を有する。
【００７０】
図９は，本発明の第３の実施の形態による伝送パラメータの測定およびルートの検証動作を示すシーケンス図である。以下，図９の説明とともに，図８の各構成要素について説明する。
【００７１】
ネットワーク構築時の各区間の伝送パラメータ，または，ネットワーク拡張時の拡張部分の区間の伝送パラメータを測定するために，オペレータは，ＮＭＳ１００に伝送パラメータ測定指示を入力する。この伝送パラメータ測定指示には，測定する区間（全区間，一部の区間）を指定するデータが含まれる。
【００７２】
ＮＭＳ１００のネットワーク制御部１０１は，伝送パラメータを測定する区間の両端に位置するノードまたはＬＴＥに試験信号送信開始指令を与える。以下では，ノードＮ１とＮ２との間の区間の伝送パラメータを測定する場合を例にとり，動作を説明する。
【００７３】
試験信号送信開始指令は，ノードＮ１の試験信号制御部３４およびノードＮ２の試験信号制御部４４に与えられる。試験信号制御部３４は，図３の試験信号制御部１１と同様の処理を実行し，試験信号送信部３５に試験信号の送信波長を設定し，試験信号送信部３５を起動する。これにより，試験信号送信部３５は，試験信号の送信を開始する。
【００７４】
また，試験信号制御部３４は，セレクタ３６を設定し，試験信号送信部３５の試験信号がＭＵＸ３３ａ〜３３ｄのいずれか１つの出方路に出力されるように制御する。このセレクタ３６の設定は，伝送パラメータの測定対象となる区間に試験信号が伝送されるように行われる。たとえば，ノードＮ１とＮ２との間の区間の伝送パラメータを測定する場合には，ＭＵＸ３３ｃへの出方路に試験信号が出力されるようにセレクタ３６が設定される。
【００７５】
ＭＵＸ３３ｃは，セレクタ３６からの試験信号とクロスコネクト部３２からの主信号とを多重し，ＷＤＭ信号としてノードＮ２に送信する。
【００７６】
ノードＮ１からのＷＤＭ信号はノードＮ２のＤＥＭＵＸ４３ａに入力される。ＤＥＭＵＸ４３ａは，入力されたＷＤＭ信号を波長ごとの信号に分離し，試験信号をセレクタ４６に与えるとともに，主信号をクロスコネクト部４２に与える。
【００７７】
ノードＮ２の試験信号制御部４４は，試験信号受信部４５を受信待ち状態にするとともに，セレクタ４６がＤＥＭＵＸ４３ａ〜４３ｃのうち伝送パラメータの測定を行う区間に対応する入方路を選択するように，セレクタ４６を設定する。ここでは，セレクタ４６は，ＤＥＭＵＸ４３ａからの試験信号を選択して出力するように設定される。
【００７８】
セレクタ４６から試験信号受信部４５に与えられた試験信号は，試験信号受信部４５からパラメータ抽出部４７に与えられる。パラメータ抽出部４７は，前述した図５に示す構成を有し，試験信号に基づいてエラーレート，受信パワー，ＯＳＮＲ，および分散量を計測する。これらの計測値は，伝送パラメータとして試験信号制御部４４を介してＮＭＳ１００に与えられ，ＮＭＳ１００のＤＢ１０３に記憶される。
【００７９】
ノードＮ２からノードＮ１の試験信号の送信および伝送パラメータの計測も同様に行われ，伝送パラメータがＤＢ１０３に記憶される。また，他の区間の伝送パラメータも同様にして計測され，計測された伝送パラメータがＤＢ１０３に記憶される。
【００８０】
ＮＭＳ１００は，伝送パラメータの計測および記憶が完了すると，ＤＢ構築またはＤＢ更新完了をオペレータに通知する。この通知を受けると，オペレータは試験信号送信停止指示をＮＭＳ１００に与える。ＮＭＳ１００のネットワーク制御部１０１は，各ノードまたはＬＴＥの試験信号制御部３４に試験信号送信停止指令を与え，これにより，試験信号の送信が停止される。
【００８１】
ＤＢの構築または更新後，オペレータからＮＭＳ１００に新規ルートが指定されると，ＮＭＳ１００の伝送可否検証部１０２は，指定された新規ルートの伝送可否をＤＢ１０３に記憶された伝送パラメータのうち，新規ルートを構成する区間の伝送パラメータに基づいて判断する。
【００８２】
たとえば，図１のルートＲ２の伝送可否を判断する場合には，ＬＴＥ１からノードＮ１への区間，ノードＮ１からノードＮ２への区間，ノードＮ２からノードＮ６への区間，ノードＮ６からノードＮ５への区間，およびノードＮ５からＬＴＥ２への区間の各伝送パラメータに基づいて伝送可否が判断される。ルートＲ２について双方向の伝送可否を判断する場合には，この逆方向の伝送パラメータに基づいて，逆方向の伝送可否が判断される。
【００８３】
たとえば，伝送可否検証部１０２は，ルートＲ２を構成する各区間の受信パワーから求められる各区間の減衰率を乗算することにより，ルートＲ２全体（すなわちＬＴＥ１からＬＴＥ２またはＬＴＥ２からＬＴＥ１）の減衰率を求める。また，伝送可否検証部１０２は，各区間の分散量を加算することにより，ルートＲ２全体の分散量を求める。
【００８４】
そして，伝送可否検証部１０２は，ルートＲ２全体の伝送パラメータと所定の閾値とを比較することにより，ルートＲ２の伝送可否を判断する。この判断結果は，オペレータに通知される。
【００８５】
このように，第３の実施の形態によっても，新規ルートの伝送可否の検証を短時間に行うことができる。
【００８６】
＜第４の実施の形態＞
本発明の第４の実施の形態は，各ノードが，隣接するノードまたはＬＴＥとの間の区間の伝送パラメータを保持し，ルートの伝送可否判断時に，保持した伝送パラメータをＮＭＳに与え，ＮＭＳがルートの伝送可否を判断するものである。伝送パラメータが各ノードにより保持される点が，ＮＭＳにより伝送パラメータが保持される上記第３の実施の形態と異なる。
【００８７】
図１０は，本発明の第４の実施の形態によるＮＭＳ１００ならびにノードＮ１およびＮ２の詳細な構成を示すブロック図である。図８に示す第３の実施の形態と異なる点は，伝送パラメータを記憶するデータベース（ＤＢ）４８がＮＭＳではなくノードに設けられている点である。また，図示は省略するがＬＴＥにも伝送パラメータを記憶するＤＢが設けられる。他の部分は，図８と同じであるので，同じ符号を付し，その説明を省略することとする。
【００８８】
第３の実施の形態の伝送パラメータの計測処理と同様にして，各区間の伝送パラメータが計測される。計測された伝送パラメータは，パラメータ抽出部４７からＤＢ３８に与えられ，記憶される。
【００８９】
伝送可否を検証する新規ルートが，オペレータによってＮＭＳ１００に設定されると，ＮＭＳ１００はルート上に配置されたノードまたはＬＴＥに対し，ルートを構成する区間の伝送パラメータを要求する。伝送パラメータを要求されたノードまたはＬＴＥの試験信号制御部はＤＢから伝送パラメータを読み出し，読み出した伝送パラメータをＮＭＳ１００へアップロードする。
【００９０】
ＮＭＳ１００の伝送可否検証部１０２は，上記第３の実施の形態と同様の方法で，ノードまたはＬＴＥから与えられた，ルートと構成する各区間の伝送パラメータに基づいてルートの伝送可否を判断し，オペレータへ通知する。これにより，迅速な伝送可否判断が可能となり，オペレータを即座に伝送可否を知ることができる。
【００９１】
＜第５の実施の形態＞
上述した第３または第４の実施の形態では，各区間の伝送パラメータがノードまたはＬＴＥにより自動的に測定されるが，各区間の伝送パラメータは，オペレータ等によって個別に測定されてもよい。オペレータ等によって個別に計測された伝送パラメータは，オペレータによってＮＭＳへ入力される。ＮＭＳは，ＤＢを有し，このＤＢに，オペレータにより入力された伝送パラメータを記憶する。
【００９２】
新規ルートの伝送可否を検証するときは，オペレータがＮＭＳへ新規ルートを設定することにより，ＮＭＳの伝送可否検証部がルート上にある区間の伝送パラメータをＤＢから読み出し，読み出した伝送パラメータに基づいて伝送可否を判断し，オペレータへ通知する。
【００９３】
これにより，ＤＢにあらかじめ記憶された伝送パラメータに基づいて，伝送可否を高速に判断することができる。
【００９４】
＜第６の実施の形態＞
これまで述べた第１から第５の実施の形態では，新規ルートはオペレータによって設定されていたが，ルート探索フレームを光伝送ネットワークに伝送することによって，新規ルートを探索・決定することもできる。第６の実施の形態は，各ノードがノード間の区間の伝送パラメータに基づいてルート探索フレームをルーティングすることにより新規ルートを探索・決定するものである。
【００９５】
図１１は，本発明の第６の実施の形態によるＬＴＥ１および２，ノードＮ１，ならびにＮＭＳ１００の詳細な構成を示すブロック図である。
【００９６】
ＬＴＥ１は，ルート探索制御部１４，ルート探索フレーム送信部１５，およびＭＵＸ１３を有する。ＬＴＥ２は，ルート探索制御部２６，ルート探索フレーム検出部２７，およびＤＥＭＵＸ２４を有する。ノードＮ１は，クロスコネクト制御部３１，クロスコネクト部３２，ルート探索制御部３７，ルート探索フレーム検出部３８，およびルーティングテーブル３９を有する。
【００９７】
なお，図１１は，ＬＴＥ１からＬＴＥ２にルート探索フレームを送信する場合の構成要素を示しており，これとは逆にＬＴＥ２からＬＴＥ１にルート探索フレームを送信する場合には，ＬＴＥ２にＬＴＥ１の構成要素が設けられ，ＬＴＥ１にＬＴＥ２の構成要素が設けられる。
【００９８】
図１２は，検証ルート決定のシーケンスを示している。以下，図１２を説明するとともに，図１１の構成要素について説明する。
【００９９】
オペレータはＮＭＳ１００に新規ルートの両端局ＬＴＥ１および２を入力する。ＮＭＳ１００は，ＬＴＥ２を宛先とするルートを探索するようにＬＴＥ１に指示を与える。
【０１００】
この指示は，ＬＴＥ１のルート探索制御部１４に与えられる。ルート探索制御部１４は，ルート探索フレーム送信部１５へＬＴＥ２を宛先とするルート探索フレームの送信を指示する。なお，ルート探索フレームに割り当てられる波長はネットワーク全体であらかじめ決められている。
【０１０１】
ルート探索フレームは，ルート探索フレーム送信部１５からＭＵＸ１３に与えられ，ＭＵＸ１３により主信号と多重され，ノードＮ１にルーティングされる。ノードＮ１のルート探索フレーム検出部３８は，受信信号の中から，ルート探索フレームを検出し，検出したルート探索フレームをルート探索制御部３７に与える。
【０１０２】
ルート探索制御部３７は，ルート探索フレームの宛先が自己ではなく，ＬＴＥ２であることから，ルート探索フレームにＬＴＥ１の次の中継地としてノードＮ１の識別コードを挿入する。図１３は，ルート探索フレームの構造を示している。ルート探索フレームは，ＬＴＥ１から送信される時には，送信元および宛先を含んでいるが，ノードＮ１から送信される時に，ノードＮ１のルート探索制御部３７により，ノードＮ１の識別コードが挿入される。このような挿入が各ノードで行われ，ＬＴＥ２受信時には，経由したすべてのノードの識別コードが含まれることとなる。
【０１０３】
次に，ルート探索制御部３７は，ルーティングテーブル３９を参照して，宛先がＬＴＥ２の場合のフレーム送信先を探索し，探索した送信先にルート探索フレームが送信されるように，クロスコネクト制御部３１にクロスコネクト部３２を設定させる。
【０１０４】
ルーティングテーブル３９には，１つの宛先について１または２以上のルーティング先が設けられている。図１４は，ルーティングテーブルの一例を示している。１つの宛先に対して２以上のルーティング先が設けられている場合には，各ルーティング先に優先順位が設定される。
【０１０５】
この優先順位は，ルーティング先までの波長分散，ＯＳＮＲ，伝送ロス等に基づいて決定される。たとえば，伝送ロス最小のルートの優先順位が高く設定され，伝送ロスが同じであれば，ＯＳＮＲまたは波長分散により優先順位の高低が決定される。
【０１０６】
ルート探索制御部３７は，優先順位の最も高いルーティング先を選択し，選択したルーティング先（転送先）にルート探索フレームが送信（転送）されるようにクロスコネクト部３２を，クロスコネクト制御部３１を介して制御する。
【０１０７】
このような処理が，各ノードで実行され，ＬＴＥ２までルート探索フレームが送信される。ＬＴＥ２では，ＤＥＭＵＸ２４によりＷＤＭ信号が分離され，ルート探索フレームがルート探索フレーム受信部２７に受信される。
【０１０８】
ルート探索フレーム受信部２７は，受信したルート探索フレームの宛先が自身であることから，ルート探索が終了したことを認識し，ルート探索フレームをルート探索制御部２６に与える。ルート探索制御部２６は，ルート探索フレームに含まれる送信元，宛先，および中継点（すなわち探索されたルート）の情報をＮＭＳ１００へアップロードする。ＮＭＳ１００は，探索されたルートをオペレータに通知する。これにより，ルート探索処理が終了する。
【０１０９】
なお，ルート変更の場合には，各中継ノードで現行ルートの一部となっている区間は選択しないようなルーティングが行われる。これを行うために，ルーティングテーブルには，図１４に示すように，現行ルートを示す情報が含まれている。ＬＴＥ２からＬＴＥ１へもルート探索処理も同様にして行われる。
【０１１０】
このように本実施の形態によると，ルート探索に，ノード間で最も優れた伝送パラメータを有する区間が選択されて行くので，送信元から宛先までのルートも，伝送パラメータも最も良いルートが選択される。しかもルート探索フレームの送受信によりルートが決定されるので，ルート探索を高速に行うことができる。
【０１１１】
なお，各ノードが保持するルーティングテーブルをＮＭＳ１００が保持し，ＮＭＳ１００が，ルート探索フレームを用いることなく，同様なルート検索を行うこともできる。
【０１１２】
これまで述べた実施の形態では，伝送パラメータとして，エラーレート，ＯＳＮＲ，受信パワー（または伝送ロス，減衰率），波長分散を求めたが，これらは伝送パラメータの一例であり，他の伝送特性を表すパラメータを求めることもできる。
【０１１３】
（付記１）  波長分割多重された光信号を中継伝送する複数のノードを有する光伝送ネットワークシステムにおいて前記複数のノードの１または２以上のノードを経由して設定される経路の伝送可否を検証する伝送可否検証システムであって，
光による試験信号を前記経路の一方の端部から前記経路に沿って送信する試験信号送信部と，
前記経路に沿って伝送されて来た前記試験信号を前記経路の他方の端部で受信する試験信号受信部と，
前記試験信号受信部により受信された前記試験信号の伝送特性を表す伝送パラメータを求めるパラメータ抽出部と，
前記パラメータ抽出部により抽出された前記伝送パラメータに基づいて前記経路の伝送可否を検証する伝送可否検証部と，
を備えている伝送可否検証システム。
【０１１４】
（付記２）  付記１において，
前記試験信号送信部は，前記光伝送ネットワークシステムにおいて前記経路の一方の端部に配置された第１の端局装置に設けられ，前記試験信号受信部および前記パラメータ抽出部は，前記光伝送ネットワークシステムにおいて前記経路の他方の端部に配置された第２の端局装置に設けられ，前記伝送可否検証部は前記光伝送ネットワークシステムを監視するネットワーク監視システムに設けられる，伝送可否検証システム。
【０１１５】
（付記３）  付記１において，
前記試験信号送信部は，前記光伝送ネットワークシステムにおいて前記経路の一方の端部に配置された第１の端局装置に設けられ，前記試験信号受信部，前記パラメータ抽出部，および前記伝送可否検証部は，前記光伝送ネットワークシステムにおいて前記経路の他方の端部に配置された第２の端局装置に設けられ，
前記伝送可否検証部は，前記光伝送ネットワークシステムを監視するネットワーク監視システムに前記検証結果を送信する，
伝送可否検証システム。
【０１１６】
（付記４）  付記１において，
前記経路の一方の端部から，前記経路を探索するための経路探索フレームを該経路の他方の端部に向けて光信号により送信するフレーム送信部と，
前記複数のノードのそれぞれが有するルーティングテーブルに基づいて，該複数のノードの１または２以上のものによってルーティングされてきた前記経路探索フレームを前記経路の他方の端部で受信するフレーム受信部と，
前記フレーム受信部により受信された前記経路探索フレームが経由したノードに基づいて前記経路を設定する経路設定部と，
をさらに備えている伝送可否検証システム。
【０１１７】
（付記５）  付記４において，
前記フレーム送信部は，前記光伝送ネットワークシステムにおいて前記経路の一方の端部に配置された第１の端局装置に設けられ，前記フレーム受信部は，前記光伝送ネットワークシステムにおいて前記経路の他方の端部に配置された第２の端局装置に設けられ，前記経路設定部は，前記光伝送ネットワークシステムを監視するネットワーク監視システムに設けられる，伝送可否検証システム。
【０１１８】
（付記６）  付記１において，
前記複数のノードのそれぞれにより受信された信号の転送先を決定するためのルーティングテーブルを記憶するルーティングテーブル記憶部と，
前記伝送可否の検証対象となる経路の一方の端部から他方の端部への経路を前記ルーティングテーブル記憶部に記憶された前記ルーティングテーブルに基づいて探索し，該探索した経路を伝送可否の検証対象となる経路として設定する経路設定部と，
を有する伝送可否検証システム。
【０１１９】
（付記７）  付記６において，
前記ルーティングテーブル記憶部および前記経路設定部は，前記光伝送ネットワークシステムを監視するネットワーク監視システムに設けられる伝送可否検証システム。
【０１２０】
（付記８）  波長分割多重された光信号を送受信する第１および第２の端局装置ならびに該光信号を中継伝送する複数のノードを有する光伝送ネットワークシステムにおいて，前記第１の端局装置から前記複数のノードの１または２以上のノードを経由して前記第２の端局装置に設定される経路の伝送可否を検証する伝送可否検証システムであって，
前記第１および第２の端局装置ならびに前記複数のノードの隣接するものの間の区間の伝送特性を表す伝送パラメータを記憶する記憶部と，
前記経路を構成する区間の伝送パラメータを前記記憶部から読み出し，読み出した伝送パラメータに基づいて伝送可否を検証する伝送可否検証部と，
を備えている伝送可否検証システム。
【０１２１】
（付記９）  付記８において，
前記記憶部は，前記第１および第２の端局装置ならびに前記複数のノードにそれぞれ設けられた分散記憶部から構成され，
前記分散記憶部のそれぞれは，それぞれが設けられた第１もしくは第２の端局装置またはノードと，隣接するノードまたは隣接する前記第１もしくは第２の端局装置との間の区間の伝送パラメータを記憶し，
前記伝送可否検証部は，前記光伝送ネットワークシステムを監視するネットワーク監視システムに設けられる，
伝送可否検証システム。
【０１２２】
（付記１０）  付記８において，
前記記憶部および前記伝送可否検証部は前記光伝送ネットワークシステムを監視するネットワーク監視システムに設けられる，伝送可否検証システム。
【０１２３】
（付記１１）  付記８から１０のいずれか１つにおいて，
前記第１および第２の端局装置ならびに前記複数のノードのそれぞれは，
隣接するノードまたは隣接する前記第１もしくは第２の端局装置に光による試験信号を送信する試験信号送信部と，
隣接するノードまたは隣接する前記第１もしくは第２の端局装置から送信されてきた光による試験信号を受信する試験信号受信部と，
前記試験信号受信部により受信された前記試験信号の伝送特性を表す伝送パラメータを求め，求めた伝送パラメータを前記記憶部に与えるパラメータ抽出部と，
を備えている伝送可否検証システム。
【０１２４】
（付記１２）  付記８において，
前記経路の一方の端部から，前記経路を探索するための経路探索フレームを該経路の他方の端部に向けて光信号により送信するフレーム送信部と，
前記複数のノードのそれぞれが有するルーティングテーブルに基づいて，該複数のノードの１または２以上のものによってルーティングされてきた前記経路探索フレームを前記経路の他方の端部で受信するフレーム受信部と，
前記フレーム受信部により受信された前記経路探索フレームが経由したノードに基づいて前記経路を設定する経路設定部と，
をさらに備えている伝送可否検証システム。
【０１２５】
（付記１３）  付記１２において，
前記フレーム送信部は，前記光伝送ネットワークシステムにおいて前記経路の一方の端部に配置された第１の端局装置に設けられ，前記第１のフレーム受信部は，前記光伝送ネットワークシステムにおいて前記経路の他方の端部に配置された第２の端局装置に設けられ，前記経路設定部は，前記光伝送ネットワークシステムを監視するネットワーク監視システムに設けられる，伝送可否検証システム。
【０１２６】
（付記１４）  付記８において，
前記複数のノードのそれぞれにより受信された信号の転送先を決定するためのルーティングテーブルを記憶するルーティングテーブル記憶部と，
前記経路の一方の端部から他方の端部への経路を前記ルーティングテーブル記憶部に記憶された前記ルーティングテーブルに基づいて探索し，該探索した経路を伝送可否の検証対象となる経路として設定する経路設定部と，
を有する伝送可否検証システム。
【０１２７】
（付記１５）  付記１４において，
前記ルーティングテーブル記憶部および前記経路設定部は，前記光伝送ネットワークシステムを監視するネットワーク監視システムに設けられる伝送可否検証システム。
【０１２８】
【発明の効果】
本発明によると，光信号を光の状態でスイッチングするＯＸＣ／ＯＡＤＭ装置を含む光伝送ネットワークシステムにおいて，ルート変更など新規ルートが必要となった場合に，その新規ルートが伝送可能であるかの検証を短時間で行うことができる。
【図面の簡単な説明】
【図１】本発明が適用される光伝送ネットワークシステムの構成例を示す。
【図２】本発明が適用される光伝送ネットワークシステムのＬＴＥ間のルートに設けられた光増幅器を示す。
【図３】本発明の第１の実施の形態によるＮＭＳ，ＬＴＥおよびノードの詳細な構成を示すブロック図である。
【図４】本発明の第１の実施の形態による伝送パラメータの測定およびルートの検証動作を示すシーケンス図である。
【図５】伝送パラメータ抽出部の詳細な構成を示すブロック図である。
【図６】（Ａ）は周波数と受信パワーとの関係を表すグラフであり，（Ｂ）は分散量と受信パワーとの関係を表すグラフである。
【図７】本発明の第２の実施の形態によるＮＭＳ，ＬＴＥおよびノードの詳細な構成を示すブロック図である。
【図８】本発明の第３の実施の形態によるＮＭＳおよびノードの詳細な構成を示すブロック図である。
【図９】本発明の第３の実施の形態による伝送パラメータの測定およびルートの検証動作を示すシーケンス図である。
【図１０】本発明の第４の実施の形態によるＮＭＳならびにノードの詳細な構成を示すブロック図である。
【図１１】本発明の第６の実施の形態によるＬＴＥ，ノード，およびＮＭＳの詳細な構成を示すブロック図である。
【図１２】本発明の第６の実施の形態による検証ルート決定のシーケンスを示す。
【図１３】ルート探索フレームの構造を示す。
【図１４】ルーティングテーブルの一例を示す。
【符号の説明】
１，２  端局装置
Ｎ１〜Ｎ８  ノード
１１，２１，３４，４４  試験信号制御部
１２，３５  試験信号送信部
２２，４５  試験信号受信部
２３，４７  パラメータ抽出部
１０３，４８  データベース
１０２，２５  伝送可否判断部
２３ａ  エラーレート測定部
２３ｂ  受信パワー測定部
２３ｃ  ＯＳＮＲ測定部
２３ｄ  波長分散モニタ部
【図１】
2004172783.tif 000003
【図２】
2004172783.tif 000004
【図３】
2004172783.tif 000005
【図４】
2004172783.tif 000006
【図５】
2004172783.tif 000007
【図６】
2004172783.tif 000008
【図７】
2004172783.tif 000009
【図８】
2004172783.tif 000010
【図９】
2004172783.tif 000011
【図１０】
2004172783.tif 000012
【図１１】
2004172783.tif 000013
【図１２】
2004172783.tif 000014
【図１３】
2004172783.tif 000015
【図１４】
2004172783.tif 000016